(57)【要約】【課題】ロックおよびアンロックを複数回行っても確実にロック状態を維持できる。【解決手段】異なる第１面１０と第２面１１とを連結するための紙製品のロック構造であって、第１面１０に形成した長尺なロック穴１２と、第２面１１の縁に連設した連続部１４、連続部１４の一側から突出した第１突部１５、および、連続部１４の他側から突出した第２突部１６を備え、第１突部１５の先端から連続部１４の他側までの寸法Ｓ１がロック穴１２の全長Ｌより長く、第２突部１６の先端から連続部１４の一側までの寸法Ｓ２がロック穴１２の全長Ｌ以下のロック部１３とからなり、第１突部１５をロック穴１２内に挿入し、ロック穴１２の縁に連続部１４の一側を当接させた状態で、他側の第２突部１６をロック穴１２内に挿入することにより、第１面１０と第２面１１とを連結する。【選択図】図１
2005219778.tif 000002
【特許請求の範囲】
【請求項１】
異なる第１面と第２面とを連結するための紙製品のロック構造であって、
前記第１面に形成した長尺なロック穴と、
前記第２面の縁に連設した連続部、該連続部の一側から突出した第１突部、および、前記連続部の他側から突出した第２突部を備え、前記第１突部の先端から前記連続部の他側までの寸法(Ｓ１)が前記ロック穴の全長(Ｌ)より長く、前記第２突部の先端から前記連続部の一側までの寸法(Ｓ２)が前記ロック穴の全長(Ｌ)以下のロック部とからなり、
前記第１突部を前記ロック穴内に挿入し、該ロック穴の縁に前記連続部の一側を当接させた状態で、他側の第２突部をロック穴内に挿入することにより、第１面と第２面とを連結するようにしたことを特徴とする紙製品のロック構造。
【請求項２】
多角形状をなす底面の外周縁のうち少なくとも一辺に、外壁面と、該外壁面と連続した上壁面と、該上壁面と連続した内壁面とからなる二重壁構造の側壁を立設するとともに、前記底面および上壁面の少なくとも一方に長尺なロック穴を設け、別体のロック部材により異なる箱を連結可能とした包装箱において、
前記ロック部材は、隣接する箱の側壁にかけて延びる架設面と、該架設面の両側縁に連設した連続部、該連続部の一側から突出した第１突部、および、前記連続部の他側から突出した第２突部を備え、前記第１突部の先端から前記連続部の他側までの寸法(Ｓ１)が前記ロック穴の全長(Ｌ)より長く、前記第２突部の先端から前記連続部の一側までの寸法(Ｓ２)が前記ロック穴の全長(Ｌ)以下の一対のロック部を設けたもので、
前記第１突部を前記ロック穴内に挿入し、該ロック穴の縁に前記連続部の一側を当接させた状態で、他側の第２突部をロック穴内に挿入することにより、異なる箱を連結可能としたことを特徴とする包装箱。
【請求項３】
直線的に連続した３以上の側面を備え、一端の側面に他端の側面の縁と連結するための折込面を形成するとともに、上下に形成される開口を一体または別体に形成した蓋により閉塞するようにした包装箱において、
前記折込面に長尺なロック穴を設ける一方、
前記折込面の外側に重畳させる側面の縁に連設した連続部、該連続部の一側から突出した第１突部、および、前記連続部の他側から突出した第２突部を備え、前記第１突部の先端から前記連続部の他側までの寸法(Ｓ１)が前記ロック穴の全長(Ｌ)より長く、前記第２突部の先端から前記連続部の一側までの寸法(Ｓ２)が前記ロック穴の全長(Ｌ)以下のロック部を連設し、
前記第１突部を前記ロック穴内に挿入し、該ロック穴の縁に前記連続部の一側を当接させた状態で、他側の第２突部をロック穴内に挿入することにより、折込面と他端の側面とを連結するようにしたことを特徴とする包装箱。
【請求項４】
３以上の側面からなる周壁を備え、底面を一体または別体からなる底蓋により閉塞するとともに、天面をいずれかの側面に連設した蓋面により閉塞するようにした包装箱において、
前記蓋面を連設した側面を除く少なくとも１つの側面の少なくとも上部を、外壁面と、該外壁面と連続する上壁面と、該上壁面と連続する内壁面とからなる二重壁構造とするとともに、前記上壁面に長尺なロック穴を設ける一方、
前記ロック穴と対応する蓋面の縁に連設した連続部、該連続部の一側から突出した第１突部、および、前記連続部の他側から突出した第２突部を備え、前記第１突部の先端から前記連続部の他側までの寸法(Ｓ１)が前記ロック穴の全長(Ｌ)より長く、前記第２突部の先端から前記連続部の一側までの寸法(Ｓ２)が前記ロック穴の全長(Ｌ)以下のロック部を連設し、
前記第１突部を前記ロック穴内に挿入し、該ロック穴の縁に前記連続部の一側を当接させた状態で、他側の第２突部をロック穴内に挿入することにより、上壁面と蓋面とを連結し、側面で囲繞された上端開口を閉塞可能としたことを特徴とする包装箱。
【発明の詳細な説明】
【技術分野】
【０００１】
本発明は、紙製品のロック構造および該ロック構造を用いた包装箱に関する。
【背景技術】
【０００２】
本発明の紙製品である包装箱のロック構造に関連する先行技術文献情報としては次のものがある。
【０００３】
【特許文献１】実開昭６１−８５２１号公報
【０００４】
この特許文献１の包装箱は、矩形状をなす底壁の外周縁に側壁が立設されている。そのうち、後側壁には、各側壁により囲繞された上端開口を閉塞するための蓋板が連設されるとともに、前側壁には、前記蓋板の内面に位置する折込片が連設されている。そして、前記蓋板の先端には、略Ｙ字形状に突出するロック片が連設されるとともに、前側壁には同様にＹ字形状をなすロック孔が設けられ、該ロック孔内にロック片を差し込んでロックさせることにより、蓋板によって上端開口を開閉可能に閉塞している。
【発明の開示】
【発明が解決しようとする課題】
【０００５】
しかしながら、前記特許文献１のロック構造では、ロック片をロック孔に差し込むことにより蓋板で上端開口を閉塞しているため、ロック片をロック孔から抜き出すことにより、再封緘することが可能であるが、封緘および開放を繰り返すと略Ｙ字形状をなすロック片の腰が弱くなり、封緘（ロック）状態を確実に維持できないという問題がある。
【０００６】
そこで、本発明では、ロックおよびアンロックを複数回行っても確実にロック状態を維持できる紙製品のロック構造および該ロック構造を用いた包装箱を提供することを課題とするものである。
【課題を解決するための手段】
【０００７】
前記課題を解決するため、本発明の紙製品のロック構造は、異なる第１面と第２面とを連結するための紙製品のロック構造であって、前記第１面に形成した長尺なロック穴と、前記第２面の縁に連設した連続部、該連続部の一側から突出した第１突部、および、前記連続部の他側から突出した第２突部を備え、前記第１突部の先端から前記連続部の他側までの寸法(Ｓ１)が前記ロック穴の全長(Ｌ)より長く、前記第２突部の先端から前記連続部の一側までの寸法(Ｓ２)が前記ロック穴の全長(Ｌ)以下のロック部とからなり、前記第１突部を前記ロック穴内に挿入し、該ロック穴の縁に前記連続部の一側を当接させた状態で、他側の第２突部をロック穴内に挿入することにより、第１面と第２面とを連結するように構成している。
【０００８】
このロック構造を用いた第１の包装箱は、多角形状をなす底面の外周縁のうち少なくとも一辺に、外壁面と、該外壁面と連続した上壁面と、該上壁面と連続した内壁面とからなる二重壁構造の側壁を立設するとともに、前記底面および上壁面の少なくとも一方に長尺なロック穴を設け、別体のロック部材により異なる箱を連結可能とした包装箱において、前記ロック部材は、隣接する箱の側壁にかけて延びる架設面と、該架設面の両側縁に連設した連続部、該連続部の一側から突出した第１突部、および、前記連続部の他側から突出した第２突部を備え、前記第１突部の先端から前記連続部の他側までの寸法(Ｓ１)が前記ロック穴の全長(Ｌ)より長く、前記第２突部の先端から前記連続部の一側までの寸法(Ｓ２)が前記ロック穴の全長(Ｌ)以下の一対のロック部を設けたもので、前記第１突部を前記ロック穴内に挿入し、該ロック穴の縁に前記連続部の一側を当接させた状態で、他側の第２突部をロック穴内に挿入することにより、異なる箱を連結可能としたものである。
【０００９】
また、第２の包装箱は、直線的に連続した３以上の側面を備え、一端の側面に他端の側面の縁と連結するための折込面を形成するとともに、上下に形成される開口を一体または別体に形成した蓋により閉塞するようにした包装箱において、前記折込面に長尺なロック穴を設ける一方、前記折込面の外側に重畳させる側面の縁に連設した連続部、該連続部の一側から突出した第１突部、および、前記連続部の他側から突出した第２突部を備え、前記第１突部の先端から前記連続部の他側までの寸法(Ｓ１)が前記ロック穴の全長(Ｌ)より長く、前記第２突部の先端から前記連続部の一側までの寸法(Ｓ２)が前記ロック穴の全長(Ｌ)以下のロック部を連設し、前記第１突部を前記ロック穴内に挿入し、該ロック穴の縁に前記連続部の一側を当接させた状態で、他側の第２突部をロック穴内に挿入することにより、折込面と他端の側面とを連結するようにしたものである。
【００１０】
さらに、第３の包装箱は、３以上の側面からなる周壁を備え、底面を一体または別体からなる底蓋により閉塞するとともに、天面をいずれかの側面に連設した蓋面により閉塞するようにした包装箱において、前記蓋面を連設した側面を除く少なくとも１つの側面の少なくとも上部を、外壁面と、該外壁面と連続する上壁面と、該上壁面と連続する内壁面とからなる二重壁構造とするとともに、前記上壁面に長尺なロック穴を設ける一方、前記ロック穴と対応する蓋面の縁に連設した連続部、該連続部の一側から突出した第１突部、および、前記連続部の他側から突出した第２突部を備え、前記第１突部の先端から前記連続部の他側までの寸法(Ｓ１)が前記ロック穴の全長(Ｌ)より長く、前記第２突部の先端から前記連続部の一側までの寸法(Ｓ２)が前記ロック穴の全長(Ｌ)以下のロック部を連設し、前記第１突部を前記ロック穴内に挿入し、該ロック穴の縁に前記連続部の一側を当接させた状態で、他側の第２突部をロック穴内に挿入することにより、上壁面と蓋面とを連結し、側面で囲繞された上端開口を閉塞可能としたものである。
【発明の効果】
【００１１】
本発明の紙製品のロック構造では、ロック部をロック穴に対して左右にスイングするようにして第１突部および第２突部を挿入、または、引き抜くことにより、これら突部に対して殆ど負荷を加えることなく、ロック状態、または、アンロック状態とすることができる。そのため、形成材料である紙の腰が弱くなることを最大限に抑制することができ、その結果、複数回にわたったロックおよびアンロックが可能である。
【００１２】
また、前記ロック構造を用いた第１の包装箱では、包装箱の底面または側壁を構成する上壁面にロック穴を設けるとともに、前記ロック部を形成したロック部材を設けた構成としているため、異なる箱を希望に応じて連結および分離することができる。
【００１３】
さらに、前記ロック構造を用いた第２の包装箱では、一端の側面を他端の側面の縁と連結するための折込面にロック穴を設け、前記他端の側面にロック部を設けているため、糊付けすることなく、包装箱を組み立てることができる。そのため、必要な時にのみ簡単に組み立て、また、不要な時には簡単に展開して小さな占有スペースで保管することができる。
【００１４】
さらにまた、前記ロック構造を用いた第３の包装箱では、１つの側面の上壁面にロック穴を設け、蓋面にロック穴を設けているため、希望に応じて複数回にわたって天面を閉塞および開放することができる。
【発明を実施するための最良の形態】
【００１５】
以下、本発明の実施の形態を図面に従って説明する。
【００１６】
図１および図２は、本発明のロック構造を示す。このロック構造は、包装箱などの紙製品において、異なる第１面１０と第２面１１とを連結するためのもので、第１面１０に形成した長尺なロック穴１２と、第２面１１に連設したロック部１３とからなる。
【００１７】
前記ロック穴１２は、長方形状に打ち抜いた穴部１２ａと、該穴部１２ａの両端から外向きに延びるように形成したスリット１２ｂ，１２ｂとからなる。
【００１８】
前記ロック部１３は、前記第２面１１の縁に連設した連続部１４と、該連続部１４の一側１４ａから突出した第１突部１５と、前記連続部１４の他側１４ｂから突出した第２突部１６からなる。そして、前記第１突部１５の突出量は、第２突部１６の突出量より大きくなるように構成している。
【００１９】
具体的には、前記第１突部１５の先端から、第２突部１６を突設した前記連続部１４の他側１４ｂまでの寸法Ｓ１は、前記ロック穴１２の全長Ｌであるスリット１２ｂ，１２ｂの両端間の寸法より長く（Ｓ１＞Ｌ）なるように形成されている。また、前記第２突部１６の先端から、第１突部１５を突設した前記連続部１４の一側１４ａまでの寸法Ｓ２は、前記ロック穴１２の全長Ｌ以下（Ｓ２≦Ｌ）、好ましくは若干短い程度の略同一寸法で形成されている。
【００２０】
このように構成したロック構造では、図２（Ａ）に示すように、第１突部１５をロック穴１２に挿入し、連続部１４の一側１４ａをロック穴１２における穴部１２ａの縁に当接させる。この状態で、その当接部分を中心として他側１４ｂの第２突部１６を回転させ、図２（Ｂ）に示すように、該第２突部１６をロック穴１２内に押し込むようにして挿入する。これにより、ロック穴１２の内部において長手方向の両側縁から第１突部１５および第２突部１６が外向きに延び、第１面１０の面と係合し、確実にロック状態を維持できる。言い換えれば、紙製品を構成する第１面１０と第２面１１とを確実に連結することができる。
【００２１】
一方、前記ロック穴１２とロック部１３とのロックを解除する場合には、連続部１４の一側１４ａがロック穴１２の縁に当接するように、ロック部１３をスライドさせる。ついで、第２突部１６が突設された連続部１４の他側１４ｂを引っ張ることにより、ロック穴１２から第２突部１６を引き抜く。その後、第２突部１６の突出方向に向けて斜め上向きに引っ張ることにより、第１突部１５をロック穴１２から引き抜く。これにより、ロック穴１２とロック部１３との係止が完全に解除され、第１面１０と第２面１１との連結が解除される。
【００２２】
このように、本発明のロック構造では、ロック部１３をロック穴１２に対して左右にスイングするようにして挿入、または、引き抜くことにより、連続部１４の両側より突出する突部１５，１６に対しては殆ど負荷（変形）を加えることなく、ロック状態、または、アンロック状態とすることができる。そのため、形成材料である紙の腰が弱くなることを最大限に抑制することができ、その結果、複数回にわたったロックおよびアンロックが可能である。
【００２３】
なお、本発明のロック構造において、前記ロック穴１２は、スリット１２ｂを設けることなく、長方形状の穴部１２ａのみにより構成してもよい。また、ロック部１３は、第１突部１５の先端から連続部１４の他側１４ｂまでの寸法Ｓ１、第２突部１６の先端から連続部１４の一側１４ａまでの寸法Ｓ２、および、ロック穴１２の全長Ｌを前記条件（Ｓ２≦Ｌ＜Ｓ１）の範囲で設定すれば、連続部１４から突出する第１突部１５および第２突部１６の突出量は希望に応じて変更が可能である。
【００２４】
次に、前記ロック構造を用いた紙製品である包装箱２０，４０，６０について具体的に説明する。なお、これらの包装箱２０，４０，６０は、表紙および裏紙の間に波状の中しんを配設した周知の段ボール紙を、図示しない周知の紙器打抜装置によりブランクとして打ち抜いて形成されている。
【００２５】
１．第１実施形態の包装箱の構成
【００２６】
図３から図６は、前記ロック構造を用いた第１実施形態の包装箱２０を示す。この包装箱２０は、図３に示すように、四角形状をなす底面２１の外周縁に二重壁構造からなる側壁２２Ａ〜２２Ｄを立設した上端開口のもので、その対向する一対の側壁２２Ａ，２２Ｃに前記ロック穴１２を設けるとともに、前記ロック部１３を一対に設けた別体のロック部材３１を形成し、複数の包装箱２０を連結可能かつ分割可能としたものである。また、この第１実施形態の包装箱２０は、その上端開口を閉塞する別体の蓋体３４を備えている。
【００２７】
前記包装箱２０のブランクは、図５に示すように、長方形状をなす底面２１を備え、この底面２１の４辺に側壁２２Ａ，２２Ｂ，２２Ｃ，２２Ｄが連設されている。これら底面２１と側壁２２Ａ〜２２Ｄの境界部分には、肉厚を圧縮するように罫を入れて形成した折曲線２３が形成されている。前記側壁２２Ａ〜２２Ｄは、それぞれ前記底面２１に連続した外壁面２４Ａ〜２４Ｄと、該外壁面２４Ａ〜２４Ｄと連続した上壁面２５Ａ〜２５Ｄと、該上壁面２５Ａ〜２５Ｄと連続した内壁面２６Ａ〜２６Ｄとからなり、それぞれの境界部分には前記と同様の折曲線２７が設けられている。そのうち、上下に対向する側壁２２Ａ，２２Ｃにおいて、外壁面２４Ａ，２４Ｃの両端には、組立状態で隣接する外壁面２４Ｂ，２４Ｄの内面に位置する第１補強フラップ２８が連設され、内壁面２６Ａ，２６Ｃの両端には、組立状態で隣接する内壁面２６Ｂ，２６Ｄの内面に位置する第２補強フラップ２９が連設され、それぞれの境界部分には折曲線３０が設けられている。
【００２８】
そして、本実施形態では、前記底面２１の対向する上下縁、および、その上下縁に連設した側壁２２Ａ，２２Ｃの上壁面２５Ａ，２５Ｃに、前記穴部１２ａとスリット１２ｂとからなるロック穴１２がそれぞれ形成されている。
【００２９】
前記ロック部材３１のブランクは、図６（Ａ）に示すように、隣接させた包装箱２０，２０の側壁２２Ａ，２２Ｃにかけて延びる寸法の架設面３２を備え、この架設面３２の両側縁に連続部１４と第１突部１５と第２突部１６とからなるロック部１３を連設し、その境界部分に折曲線３３を設けたものである。一方のロック部１３の第１突部１５および他方のロック部１３の第１突部１５は、それぞれ同一方向に突出するように形成されている。また、本実施形態では、前記架設面３２は、ロック部１３によるロックを解除する際の操作側である第２突部１６の側の縁が、該第２突部１６を越えて延びるように形成され、その突出部分を操作部として使用できるように構成している。なお、ロック穴１２の全長Ｌ、第１突部１５の先端から連続部１４の他側１４ｂまでの寸法Ｓ１、および、第２突部１６の先端から連続部１４の一側１４ａまでの寸法Ｓ２の関係は、前記条件（Ｓ２≦Ｌ＜Ｓ１）の範囲で形成されている。
【００３０】
前記蓋体３４のブランクは、図６（Ｂ）に示すように、包装箱２０の底面２１と略同一寸法の長方形状をなす矩形状シートからなる。この蓋体３４の上下縁である長辺の中央には、前記ロック穴１２を差込穴として兼用し、この蓋体３４による閉塞状態を維持するための差込片３５が連設され、その境界部分には折曲線３６が設けられている。
【００３１】
このように構成した第１実施形態では、図４に示すように、２個の包装箱２０を隣接するように配置する。この状態で、一方の包装箱２０の側壁２２Ａと他方の包装箱２０の側壁２２Ｃに形成した隣接するロック穴１２，１２に、ロック部材３１の一対の第１突部１５，１５をそれぞれ挿入する。その後、連続部１４の一側１４ａ，１４ａをロック穴１２，１２の縁に当接させて、第２突部１６，１６を下向きに押圧することによりロック状態とする。その後、２個の包装箱２０を上下逆向きとし、底面２１に設けた隣接するロック穴１２，１２に、前記と同様にしてロック部材３１を配設し、底面２１を連結する。これにより、別体の包装箱２０を一体に連結できる。その後、２個の蓋体３４，３４を包装箱２０，２０の上方に配置し、ロック穴１２にそれぞれ差込片３５を挿入することにより、包装箱２０，２０の上端開口を閉塞する。
【００３２】
また、連結した２個の包装箱２０を分離する場合には、蓋体３４を取り外した後、操作部を構成するロック部材３１の架設面３２の端部を把持し、引っ張ることにより第２突部１６，１６をロック穴１２，１２から引き抜くとともに、第１突部１５，１５を引き出すことにより、ロック穴１２とロック部１３とをアンロックする。これにより、ロック穴１２およびロック部１３の剛性を殆ど損なうことなく、２個の包装箱２０を分離できる。
【００３３】
このように、第１実施形態では、第１面１０を構成する底面２１および側壁２２Ａ，２２Ｃの上壁面２５Ａ，２５Ｃにロック穴１２を設け、第２面１１を構成するロック部材３１の架設面３２に一対のロック部１３を設けているため、複数の包装箱２０を希望に応じて連結および分離することができる。
【００３４】
なお、第１実施形態の包装箱２０の底面２１は、四角形状に限られず、希望に応じて３以上の多角形状であればよい。また、側壁２２は、全てを二重壁構造とする必要はなく、ロック穴１２を形成する辺のみを二重壁構造としてもよい。また、ロック穴１２は、底面２１と側壁２２Ａ，２２Ｃの両方に設ける必要はなく、いずれか一方にのみ設けてもよいうえ、側壁２２Ａ，２２Ｃの一方にのみ設けてもよい。
【００３５】
２．第２実施形態の包装箱の構成
【００３６】
図７から図９は、前記ロック構造を用いた第２実施形態の包装箱４０を示す。この包装箱４０は、図７に示すように、直線的に連続した４枚の側面４１Ａ〜４１Ｄを備え、一端の側面４１Ａに他端の側面４１Ｄの縁と連結するための折込面４２を設けたもので、その折込面４２に前記ロック穴１２を設けるとともに、他端の側面４１Ｄに前記ロック部１３を連設し、糊貼りすることなく組み立ておよび展開可能としたものである。
【００３７】
前記包装箱４０のブランクは、４枚の側面４１Ａ，４１Ｂ，４１Ｃ，４１Ｄを備え、その一端の側面４１Ａに他端の側面４１Ｄと連結するための折込面４２が連設されている。そして、これら側面４１Ａ〜４１Ｄおよび折込面４２との境界部分には、肉厚を圧縮するように罫を入れて形成した折曲線４３が設けられている。
【００３８】
前記側面４１Ａ〜４１Ｄのうち、側面４１Ｄの上端縁には、天蓋を構成する外フラップ４４が連設されるとともに、該外フラップ４４の先端に対向する側面４１Ｂの上端内部に差し込む差込片４５が連設されている。そして、これらの境界部分には前記と同様の折曲線４６が設けられている。また、組立状態で対向する側面４１Ａ，４１Ｃの上端縁には、前記外フラップ４４の内面に位置する内フラップ４７が連設され、その境界部分に折曲線４８が設けられている。
【００３９】
また、前記側面４１Ａ〜４１Ｄの下端縁には、噛み合わせ方式による底蓋が設けられている。具体的には、この底蓋は、一番目に折り曲げる第１フラップ４９が側面４１Ｂに連設され、二番目に折り曲げる第２フラップ５０が対向する側面４１Ａ，４１Ｃに連設され、最後に折り曲げる第３フラップ５１が側面４１Ｄに連設され、それぞれと各側面４１Ａ〜４１Ｄの境界部分に折曲線５２が設けられている。前記第１フラップ４９は、後述する第３フラップ５１と先端縁が互いに突き合う寸法で形成され、その両端部および中央部には矩形状に突出する係合突片４９ａが突設されている。前記第２フラップ５０は、折曲状態の第１フラップ４９において、両側の係合突片４９ａの内側端に向けて傾斜する斜辺５０ａを形成したものである。前記第３フラップ５１は、第１フラップ４９における各係合突片４９ａ，４９ａ間に位置する一対の係合突片５１ａが突設されるとともに、側面４１Ｄとの境界部分の両端から前記係合突片５１ａに向けて傾斜する斜辺５１ｂを形成したものである。
【００４０】
そして、本実施形態では、前記折込面４２における側面４１Ａとの境界部分中央に、折曲線４３に沿って延びる穴部のみからなるロック穴１２が形成されている。また、前記側面４１Ｄの端縁における略中央に、連続部１４と第１突部１５と第２突部１６とからなるロック部１３が形成され、その境界部分に折曲線５３が設けられている。ここで、第２実施形態の包装箱４０では、連続部１４から第１突部１５が下側に突出し、第２突部１６が上側に突出するように形成されている。そして、前記他側１４ｂである連続部１４の上縁は、側面４１Ａ，４１Ｄの上下端縁を一致させた状態で、前記ロック穴１２の上端縁と略一致する位置とされている。また、第２突部１６の突出量は、第１実施形態と比較して大きく、係止力が大きくなるように構成している。なお、ロック穴１２の全長Ｌ、第１突部１５の先端から連続部１４の他側１４ｂまでの寸法Ｓ１、および、第２突部１６の先端から連続部１４の一側１４ａまでの寸法Ｓ２の関係は、前記条件（Ｓ２≦Ｌ＜Ｓ１）の範囲で形成されている。
【００４１】
このように構成した第２実施形態では、図７（Ａ）に示すように、各側面４１Ａ〜４１Ｄ、折込面４２およびロック部１３をそれぞれ折り曲げ、側面４１Ｄを上向きに歪ませるようにして第１突部１５をロック穴１２内に挿入する。その後、側面４１Ｄを下向きに押し下げるようにして連続部１４の一側１４ａをロック穴１２の下端縁に当接させた後、第２突部１６をロック穴１２内に挿入する。これにより、図７（Ｂ）に示すように、側面４１Ｄが弾性的に上向きに移動して隣接する側面４１Ａと上下端縁が一致し、ロック状態となる。
【００４２】
ついで、底蓋を構成する第１フラップ４９、第２フラップ５０および第３フラップ５１を順番に折り曲げ、第３フラップ５１を押圧することにより係合突片５１ａを第１フラップ４９の内面側に位置させる。これにより、図８（Ａ），（Ｂ）に示すように、４つのフラップ４９，５０，５０，５１が互いに噛み合うようにして係止され、下側の開口を閉塞する。この状態で、内部に希望の商品を収容させ、内フラップ４７を折り曲げた後に、外フラップ４４を折り曲げて、先端の差込片４５を側面４１Ｂの内側に差し込むことにより、上側の開口を閉塞する。
【００４３】
また、このようにして組み立てた包装箱４０を展開する場合には、天蓋を構成する外フラップ４４を開ける。その後、底蓋を構成する第１フラップ４９を内向きに押圧し、該第１フラップ４９と第３フラップ５１の係止突片４９ａ，５１ａとの係止を解除することにより、第３フラップ５１、第２フラップ５０および第１フラップ４９の順番で順次開けることができる。
【００４４】
ついで、折込面４２に対して側面４１Ｄを下向きに移動させ、連続部１４の一側１４ａをロック穴１２の下端縁に当接させた状態で、第２突部１６の先端をロック穴１２から引き抜くとともに、第１突部１５を引き出すことにより、ロック穴１２とロック部１３とをアンロックする。これにより、ロック穴１２およびロック部１３の剛性を殆ど損なうことなく、包装箱４０を展開することができる。
【００４５】
このように、第２実施形態では、第１面１０を構成する折込面４２にロック穴１２を設け、第２面１１を構成する側面４１Ｄにロック部１３を設けているため、必要な時に組み立てて使用したり、不要な時に展開して占有スペースが少ないブランクの状態で保管することができる。
【００４６】
なお、第２実施形態の包装箱４０は、４枚の側面４１Ａ〜４１Ｄを備えた断面矩形状としたが、３枚以上の側面４１を有する断面多角形状のものであれば、同様に適用可能であり、かつ、同様の作用および効果を得ることができる。また、前記実施形態では、側面４１Ａ〜４１Ｄの上下端縁に天蓋および底蓋を構成するフラップを一体に連設したが、一方または両方を別体で構成してもよい。
【００４７】
３．第３実施形態の包装箱の構成
【００４８】
図１０から図１２は、前記ロック構造を用いた第３実施形態の包装箱６０を示す。この包装箱６０は、図１０に示すように、４枚の側面６１Ａ〜６１Ｄからなる周壁を備え、その天面を側面６１Ａに連設した蓋面７０により閉塞するようにしたもので、前記側面６１Ａと対向する側面６１Ｃの上部を二重壁構造し、この側面６１Ｃに前記ロック穴１２を設けるとともに、前記蓋面７０に前記ロック部１３を設け、前記蓋面７０によって周壁の天面を複数回にわたって閉塞および開放できるようにしたものである。
【００４９】
前記包装箱６０のブランクは、図１２に示すように、周壁を構成する４枚の側面６１Ａ，６１Ｂ，６１Ｃ，６１Ｄを備え、その一端の側面６１Ａに他端の側面６１Ｄと貼着するための糊代部６２が連設されている。そして、これら側面６１Ａ〜６１Ｄおよび糊代部６２との境界部分には、肉厚を圧縮するように罫を入れて形成した折曲線６３が設けられている。
【００５０】
前記側面６１Ａ〜６１Ｄのうち、側面６１Ａは、外壁面６４と、該外壁面６４と連続する上壁面６５と、該上壁面６５と連続する内壁面６６とからなる二重壁構造により構成されている。そして、前記内壁面６６には、側面６１Ａ〜６１Ｄにより囲繞された上端開口から所定間隔をもって位置する内蓋面６７が連設されるとともに、該内蓋面６７に側面６１Ｃの内面に面接触する係止面６８が連設されている。そして、外壁面６４、上壁面６５および内壁面６６の境界部分には、前記と同様の折曲線６９ａが設けられ、内壁面６６、内蓋面６７および係止面６８の境界部分には、所定間隔をもって形成した切断ラインと折曲線とからなるリード罫６９ｂが設けられている。
【００５１】
また、前記側面６１Ａと対向する側面６１Ｃの上端縁には、上端開口を閉塞する前記蓋面７０が連設され、その境界部分に折曲線７１が設けられている。さらに、側面６１Ｂ，６１Ｄの上端縁には、前記蓋面７０の内面に位置する内フラップ７２が連設され、その境界部分に折曲線７３が設けられている。これら内フラップ７２には、正面側である側面６１Ａの側に位置する縁に、開放操作用の切欠部７４が設けられている。
【００５２】
さらに、側面６１Ａ〜６１Ｄの下端縁には、側面６１Ａ〜６１Ｄを矩形状に広げることにより底面開口を自動閉塞するフラップ７５Ａ，７５Ｂ，７５Ｃ，７５Ｄが連設され、それぞれの境界部分に折曲線７６が設けられている。側面６１Ａ，６１Ｃに連設したフラップ７５Ａ，７５Ｃは、側面６１Ｂ，６１Ｄの略半分の幅をなす台形状のもので、図中、右側に隣接するフラップ７５Ｂ，７５Ｄの側に五角形状をなす糊代部７７が設けられ、その境界部分に折曲線７８が設けられている。また、フラップ７５Ａ，７５Ｃの左側には係止凸部７９が設けられ、この係止凸部７９と前記糊代部７７との間に係止溝が形成されている。前記フラップ７５Ｂ，７５Ｄは台形状をなすものである。
【００５３】
そして、二重壁を構成する側面６１Ａの上壁面６５の中央には、折曲線６９ａに沿って長方形状の穴部のみからなるロック穴１２が形成されている。また、蓋面７０の端縁の略中央には、連続部１４と第１突部１５と第２突部１６とからなるロック部１３が形成され、その境界部分に折曲線８０が設けられている。ここで、第３実施形態の包装箱６０では、第２実施形態と同様に、第２突部１６の突出量は、第１実施形態と比較して大きく、係止力が大きくなるように構成している。なお、ロック穴１２の全長Ｌ、第１突部１５の先端から連続部１４の他側１４ｂまでの寸法Ｓ１、および、第２突部１６の先端から連続部１４の一側１４ａまでの寸法Ｓ２の関係は、前記条件（Ｓ２≦Ｌ＜Ｓ１）の範囲で形成されている。
【００５４】
このように構成した第３実施形態では、各フラップ７５Ａ〜７５Ｄを内向きに折り曲げるとともに、糊代部７７を外向きに折り曲げた状態で、側面６１Ａを側面６１Ｂに対して折り曲げるとともに、側面６１Ｄを側面６１Ｃに対して折り曲げる。これにより、糊代部６２を対向する側面６１Ｄの縁に貼着するとともに、糊代部７７を対向するフラップ７５Ｂ，７５Ｄに貼着する。
【００５５】
この包装箱６０を使用する場合には、まず、図１０（Ａ），（Ｂ）に示すように、矩形状をなすように各側面６１Ａ〜６１Ｄを広げる。そうすると、図１０（Ｂ）に示すように、底蓋を構成するフラップ７５Ａ〜７５Ｄが連続する側面６１Ａ〜６１Ｄに対して略９０度の角度で折れ曲がり、フラップ７５Ａ，７５Ｃの先端縁が互いに噛み合うように係合する。
【００５６】
ついで、図１１（Ａ）に示すように、側面６１Ａに連続する上壁面６５、内壁面６６、内蓋面６７および係止面６８を折り曲げて、前記内蓋面６７が側面６１Ａ〜６１Ｄの上端開口から所定間隔をもって位置するように組み立てる。
【００５７】
その後、図１１（Ｂ）に示すように、内フラップ７２を折り曲げた後、蓋面７０を歪ませながらロック部１３の第１突部１５をロック穴１２内に挿入する。その後、連続部１４の一側１４ａをロック穴１２の端縁に当接させた後、第２突部１６をロック穴１２内に挿入する。これにより、蓋面７０が弾性的に上端開口に一致し、ロック部１３の第１突部１５および第２突部１６がロック穴１２の両側縁から突出し、ロック状態となる。その結果、包装箱６０の上端開口を蓋面７０によって確実に閉塞した状態が維持される。
【００５８】
また、このように蓋面７０によって閉塞した包装箱６０を開放する場合には、側面６１Ａに対して天面を移動させて連続部１４の一側１４ａをロック穴１２の端縁に当接させた状態で、第２突部１６の先端をロック穴１２から引き抜くとともに、第１突部１５を引き出すことにより、ロック穴１２とロック部１３とをアンロックする。これにより、ロック穴１２およびロック部１３の剛性を殆ど損なうことなく、包装箱６０を開放することができる。
【００５９】
このように、第３実施形態では、第１面１０を構成する側面６１Ａの上壁面６５にロック穴１２を設け、第２面１１を構成する蓋面７０にロック部１３を設けているため、一体に設けた蓋面７０を複数回にわたって閉塞および開放することができる。
【００６０】
なお、第３実施形態の包装箱６０は、４枚の側面６１Ａ〜６１Ｄを備えた断面矩形状としたが、３枚以上の側面６１を有する断面多角形状のものであれば、同様の作用および効果を得ることができる。また、前記実施形態では、側面６１Ａ〜６１Ｄの下端縁に底蓋を構成するフラップ７５Ａ〜７５Ｄを一体に連設したが、別体で構成してもよい。さらに、前記実施形態では、蓋面７０と対向する側面６１Ａのみを二重壁により構成したが、側面６１Ｂ，６１Ｄも同様に二重壁構造により構成してもよい。さらにまた、前記実施形態では、側面６１Ａと側面６１Ｄとを糊代部６２により一体に貼着し、フラップ７５Ａ，７５Ｃとフラップ７５Ｂ，７５Ｄとを糊代部７７により一体に貼着したが、糊代部６２およびフラップ７５Ｂ，７５Ｄにロック穴１２を形成し、側面６１Ｄおよびフラップ７５Ａ，７５Ｃにロック部１３を連設し、第２実施形態と同様に糊付けすることなく組立可能としてもよい。
【００６１】
また、本発明は前記実施形態の構成に限定されず、種々の変更が可能である。
【００６２】
例えば、前記各実施形態では、本発明のロック構造を紙製品である包装箱に適用したが、包装箱に限られず、種々の紙製品に適用し、同様の作用および効果を得ることができるものである。
【図面の簡単な説明】
【００６３】
【図１】本発明の紙製品のロック構造を示す斜視図である。
【図２】（Ａ），（Ｂ）はロック構造のロック工程を示す断面図である。
【図３】ロック構造を用いた第１実施形態の包装箱を示す分解斜視図である。
【図４】図３の組み立て状態を示す斜視図である。
【図５】第１実施形態の包装箱のブランクを示す平面図である。
【図６】（Ａ）はロック部材のブランクを示す平面図、（Ｂ）は蓋体のブランクを示す平面図である。
【図７】（Ａ），（Ｂ）はロック構造を用いた第２実施形態の包装箱を示す斜視図である。
【図８】（Ａ），（Ｂ）はロック構造を用いた第２実施形態の包装箱を示す他の斜視図である。
【図９】第２実施形態の包装箱のブランクを示す平面図である。
【図１０】（Ａ），（Ｂ）はロック構造を用いた第３実施形態の包装箱を示す斜視図である。
【図１１】（Ａ），（Ｂ）はロック構造を用いた第３実施形態の包装箱を示す他の斜視図である。
【図１２】第３実施形態の包装箱のブランクを示す平面図である。
【符号の説明】
【００６４】
１０…第１面
１１…第２面
１２…ロック穴
１３…ロック部
１４…連続部
１４ａ…一側
１４ｂ…他側
１５…第１突部
１６…第２突部
２０，４０，６０…包装箱（紙製品）
２１…底面（第１面）
２５Ａ，２５Ｃ…上壁面（第１面）
３２…架設面（第２面）
４２…折込面（第１面）
４１Ｄ…側面（第２面）
６５…上壁面（第１面）
７０…蓋面（第２面）
【図１】
2005219778.tif 000003
【図２】
2005219778.tif 000004
【図３】
2005219778.tif 000005
【図４】
2005219778.tif 000006
【図５】
2005219778.tif 000007
【図６】
2005219778.tif 000008
【図７】
2005219778.tif 000009
【図８】
2005219778.tif 000010
【図９】
2005219778.tif 000011
【図１０】
2005219778.tif 000012
【図１１】
2005219778.tif 000013
【図１２】
2005219778.tif 000014